(57)【要約】【課題】  ユーザが戸惑うことなくカラオケを快適に楽しめるようにする。【解決手段】  車載カラオケ装置１は、ナビゲーション装置９やハンズフリー装置１０からの音声出力要求が発生すると、楽曲データの再生を停止してカラオケ音声の音声出力を停止し、ナビゲーション装置９やハンズフリー装置１０からの音声出力が完了すると、楽曲データの再生を停止した箇所を含むフレーズの先頭または当該フレーズの次のフレーズの先頭から楽曲データの再生を再開してカラオケ音声の音声出力を再開する。ナビゲーション装置９やハンズフリー装置１０からの音声出力が完了した直後でもユーザが意識することのできる箇所からカラオケ音声を音声出力することができる。【選択図】  図１
2006178311.tif 000002
【特許請求の範囲】
【請求項１】
複数のフレーズから構成されている楽曲データを再生してカラオケ音声を音声出力手段から音声出力可能に構成され、他の車載機器からの音声出力要求が発生した後に前記他の車載機器からの音声出力が完了したときに、前記他の車載機器からの音声出力要求が発生する直前の音量と略同等の音量でカラオケ音声を前記音声出力手段から音声出力させる制御手段を備えた車載カラオケ装置であって、
前記制御手段は、前記他の車載機器からの音声出力要求が発生する直前の音量と略同等の音量でカラオケ音声を前記音声出力手段から音声出力させるときには、その直前まで再生されていた箇所を含むフレーズの先頭または当該フレーズの次のフレーズの先頭から楽曲データを再生してカラオケ音声を前記音声出力手段から音声出力させることを特徴とする車載カラオケ装置。
【請求項２】
請求項１に記載した車載カラオケ装置において、
前記制御手段は、前記他の車載機器からの音声出力要求が発生したときには、楽曲データの再生を停止させてカラオケ音声の前記音声出力手段からの音声出力を停止させ、前記他の車載機器からの音声出力が完了したときには、楽曲データの再生を停止させた箇所を含むフレーズの先頭または当該フレーズの次のフレーズの先頭から楽曲データの再生を再開させてカラオケ音声の前記音声出力手段からの音声出力を再開させることを特徴とする車載カラオケ装置。
【請求項３】
請求項１に記載した車載カラオケ装置において、
前記制御手段は、前記他の車載機器からの音声出力要求が発生したときには、楽曲データの再生を継続させると共にカラオケ音声の音量を前記他の車載機器からの音声出力要求が発生する直前の音量レベルから低下させてカラオケ音声の前記音声出力手段からの音声出力を継続させ、前記他の車載機器からの音声出力が完了したときには、楽曲データの再生を継続させると共にカラオケ音声の音量を前記他の車載機器からの音声出力要求が発生する直前の音量レベルと略同等の音量レベルまで復帰させてカラオケ音声の前記音声出力手段からの音声出力を継続させることを特徴とする車載カラオケ装置。
【請求項４】
請求項１ないし３のいずれかに記載した車載カラオケ装置において、
楽曲データに対応する歌詞を表示する表示手段を備え、
前記制御手段は、楽曲データの再生の進行状況に追従して当該楽曲データに対応する歌詞を前記表示手段に表示させることを特徴とする車載カラオケ装置。
【発明の詳細な説明】
【技術分野】
【０００１】
本発明は、複数のフレーズ（楽句）から構成されている楽曲データを再生してカラオケ音声を音声出力する車載カラオケ装置に関する。
【背景技術】
【０００２】
ユーザが車室内でカラオケを楽しめるようにした車載カラオケ装置が供されている（例えば特許文献１参照）。
【特許文献１】特開平１０−１６１６８３号公報
【発明の開示】
【発明が解決しようとする課題】
【０００３】
ところで、この種の車載カラオケ装置では、ナビゲーション装置から音声出力される例えば経路案内のためのガイダンス音声やハンズフリー装置から音声出力される例えば着信音などがユーザに適切に聞取られるように、カラオケ音声の音声出力中にナビゲーション装置からのガイダンス音声やハンズフリー装置からの着信音の音声出力要求が発生すると、楽曲データの再生を停止してカラオケ音声の音声出力を停止したり楽曲データの再生を継続するもののカラオケ音声の音声出力を無音にしたりする構成が考えられる。
【０００４】
しかしながら、そのような構成では、ガイダンス音声や着信音の音声出力が完了した直後では、ユーザが意識することのできない箇所から唐突に元の音量で、つまり、ガイダンス音声や着信音の音声出力要求が発生する以前の音量でカラオケ音声が音声出力されることになるので、ユーザが戸惑ってしまい、その結果、ユーザがカラオケを快適に楽しむことができないという問題がある。
【０００５】
本発明は、上記した事情に鑑みてなされたものであり、その目的は、ユーザが戸惑うことなくカラオケを快適に楽しむことができる車載カラオケ装置を提供することにある。
【課題を解決するための手段】
【０００６】
請求項１に記載した発明によれば、制御手段は、複数のフレーズから構成されている楽曲データを再生してカラオケ音声を音声出力手段から音声出力可能に構成されており、例えばナビゲーション装置やハンズフリー装置などの他の車載機器からの音声出力要求が発生した後に他の車載機器からの音声出力が完了すると、他の車載機器からの音声出力要求が発生する直前の音量と略同等の音量でカラオケ音声を音声出力手段から音声出力させる。このとき、制御手段は、その直前、つまり、他の車載機器からの音声出力要求が発生する直前まで再生されていた箇所を含むフレーズの先頭または当該フレーズの次のフレーズの先頭から楽曲データを再生してカラオケ音声を音声出力させる。
【０００７】
これにより、他の車載機器からの音声出力要求が発生した後に他の車載機器からの音声出力が完了すると、カラオケ音声を音声出力させる直前まで再生されていた箇所を含むフレーズの先頭または当該フレーズの次のフレーズの先頭から楽曲データを再生してカラオケ音声を音声出力することになるので、他の車載機器からの音声出力が完了した直後でもユーザが意識することのできる箇所から元の音量でカラオケ音声を音声出力することができ、ユーザが戸惑うことなくカラオケを快適に楽しむことができる。
【０００８】
請求項２に記載した車載カラオケ装置によれば、制御手段は、他の車載機器からの音声出力要求が発生すると、楽曲データの再生を停止させてカラオケ音声の音声出力手段からの音声出力を停止させ、他の車載機器からの音声出力が完了すると、楽曲データの再生を停止させた箇所を含むフレーズの先頭または当該フレーズの次のフレーズの先頭から楽曲データの再生を再開させてカラオケ音声の音声出力手段からの音声出力を再開させる。
【０００９】
これにより、他の車載機器からの音声出力が完了すると、楽曲データの再生を停止させた箇所を含むフレーズの先頭または当該フレーズの次のフレーズの先頭から楽曲データの再生を再開してカラオケ音声の音声出力を再開することになるので、他の車載機器からの音声出力が完了した直後でもユーザが意識することのできる箇所からカラオケ音声を音声出力することができる。しかも、この場合は、ユーザがカラオケ音声を確実に聞くことができるので、音声出力されるカラオケ音声に合わせてユーザが歌いたいフレーズを確実に歌うことができる。
【００１０】
請求項３に記載した車載カラオケ装置によれば、制御手段は、他の車載機器からの音声出力要求が発生すると、楽曲データの再生を継続させると共にカラオケ音声の音量を他の車載機器からの音声出力要求が発生する直前の音量レベルから低下させてカラオケ音声の音声出力手段からの音声出力を継続させ、他の車載機器からの音声出力が完了すると、楽曲データの再生を継続させると共にカラオケ音声の音量を他の車載機器からの音声出力要求が発生する直前の音量レベルと略同等の音量レベルまで復帰させてカラオケ音声の音声出力手段からの音声出力を継続させる。
【００１１】
これにより、他の車載機器からの音声出力が完了すると、楽曲データの再生を継続すると共にカラオケ音声の音量を他の車載機器からの音声出力要求が発生する直前の音量レベルと略同等の音量レベルまで復帰させてカラオケ音声の音声出力を継続することになるので、他の車載機器からの音声出力が完了した直後でもユーザが意識することのできる箇所からカラオケ音声を音声出力することができる。しかも、この場合は、ユーザが他の車載機器から出力される音声を聞きながら小音量ではあるがカラオケ音声を聞くことができる。
【００１２】
請求項４に記載した車載カラオケ装置によれば、制御手段は、楽曲データの再生の進行状況に追従して当該楽曲データに対応する歌詞を表示手段に表示させる。これにより、ユーザが楽曲データの再生の進行状況に追従して歌詞を見ることができる。
【発明を実施するための最良の形態】
【００１３】
（第１の実施形態）
以下、本発明の第１の実施形態について、図１ないし図４を参照して説明する。図１は、車載カラオケ装置及び周辺の構成を機能ブロック図として示している。車載カラオケ装置１は、制御装置２（本発明でいう制御手段）、操作装置３、楽曲データベース４、アンプ５、マイクロホン６及びスピーカ７（本発明でいう音声出力手段）を備えて構成されている。制御装置２は、ＣＰＵ、ＲＡＭ、ＲＯＭ及びＩ／Ｏバスなどを備えて構成され、制御プログラムを実行して車載カラオケ装置１の動作全般を制御する。
【００１４】
操作装置３は、ユーザが曲目を選択したり楽曲データの再生を指示したりカラオケ音声の音量を調節したりすることが可能な幾つかのスイッチを備えて構成され、ユーザがいずれかのスイッチを操作すると、その操作内容を表す操作信号を制御装置２へ出力する。楽曲データベース４は、多数の楽曲データをデータベース化して管理している。この場合、楽曲データベース４は、例えば楽曲データが記録されている記録媒体から転送された楽曲データを管理する構成であっても良いし、音楽配信サーバからネットワークを介してダウンロードされた楽曲データを管理する構成であっても良い。
【００１５】
上記した構成では、制御装置２は、操作装置３から操作信号が入力され、ユーザにより曲目が選択された後に当該曲目に対応する楽曲データの再生が指示された旨を検出すると、楽曲データベース４を検索してユーザにより選択された曲目に対応する楽曲データを読出し、その読出された楽曲データを再生してカラオケ音声をアンプ５へ出力することにより、ユーザから発せられてマイクロホン６に入力された（集音された）ユーザ音声とカラオケ音声とを混合してスピーカ７から出力させる。
【００１６】
また、制御装置２は、楽曲データを構成する各々のフレーズに付与されているフレーズ識別番号を識別することにより、再生中のフレーズを認識すると共に、各々のフレーズに付与されている先頭フラグや末尾フラグを識別することにより、フレーズの先頭や末尾を認識する。さらに、制御装置２は、楽曲データの再生の進行状況に追従して当該楽曲データに対応する歌詞をフレーズ単位でモニタ装置８に表示させる。このような構成により、ユーザは、車室内でカラオケを楽しむことができる。
【００１７】
ナビゲーション装置９（本発明でいう他の車載機器）は、ＧＰＳ受信機、方位センサ、走行距離センサ、地図データ記憶装置及びＶＩＣＳ受信機などを備えて構成され、衛星航法と自立航法との連携により車両の現在位置を検出したり、ユーザにより指定された目的地までの経路案内のためのガイダンス音声を作成したりする機能を備えて構成されている。この場合、ナビゲーション装置９は、例えば経路案内を実行中にガイダンス音声の音声出力タイミングになると、音声出力要求コマンドを制御装置２へ出力し、ガイダンス音声を制御装置２へ出力する。制御装置２は、ナビゲーション装置９から音声出力要求コマンドが入力されると、ナビゲーション装置９からの音声出力要求が発生した旨を認識し、ナビゲーション装置９からガイダンス音声が入力されると、その入力されたガイダンス音声をアンプ５へ出力してスピーカ７から音声出力させる。
【００１８】
ハンズフリー装置１０（本発明でいう他の車載機器）は、携帯電話機と接続されて車室内におけるハンズフリー通話を可能とする機能を備えて構成されている。この場合、ハンズフリー装置９は、例えば携帯電話機が携帯電話網から着信すると、音声出力要求コマンドを制御装置２へ出力し、携帯電話機が携帯電話網から着信した旨を表す着信音（着信メロディも含む）を制御装置２へ出力する。制御装置２は、ハンズフリー装置１０から音声出力要求コマンドが入力されると、ハンズフリー装置１０からの音声出力要求が発生した旨を認識し、ハンズフリー装置１０から着信音が入力されると、その入力された着信音をアンプ５へ出力してスピーカ７から出力させる。
【００１９】
尚、本実施形態では、上記したようにカラオケ音声、ナビゲーション装置９からのガイダンス音声及びハンズフリー装置１０からの着信音が同一のスピーカ７から音声出力される構成を説明したが、制御装置２がナビゲーション装置９やハンズフリー装置１０からの音声出力要求が発生した旨を認識することが可能な構成であれば、これらカラオケ音声、ガイダンス音声及び着信音が別々のスピーカから音声出力される構成であっても良い。
【００２０】
次に、上記した構成の作用について、図２ないし図４を参照して説明する。ここで、図２は、制御装置２がカラオケ音声の音声出力を制御する内容についてフローチャートとして示している。尚、ここでは、制御装置２がカラオケ音声を音声出力中であることを前提として説明する。
【００２１】
制御装置２は、カラオケ音声の音声出力中ではナビゲーション装置９からのガイダンス音声やハンズフリー装置１０からの着信音の音声出力要求が発生した否かを監視する（ステップＳ１）。ここで、制御装置２は、例えばナビゲーション装置９から音声出力要求コマンドが入力され、ナビゲーション装置９からのガイダンス音声の音声出力要求が発生した旨を検出すると（ステップＳ１にて「ＹＥＳ」）、楽曲データの再生を停止させてカラオケ音声の音声出力を停止させ（ステップＳ２）、楽曲データの再生停止箇所を記憶する（ステップＳ３）。このとき、制御装置２は、楽曲データに対応する歌詞のモニタ装置８への表示をも停止させる。そして、制御装置３は、ナビゲーション装置９からガイダンス音声が入力されると、その入力されたガイダンス音声をアンプ５へ出力してスピーカ７からの音声出力を開始させる。
【００２２】
次いで、制御装置２は、このようにしてナビゲーション装置９からのガイダンス音声の音声出力を開始すると、ナビゲーション装置９からのガイダンス音声の音声出力が完了したか否かを監視する（ステップＳ４）。そして、制御装置２は、ナビゲーション装置９からのガイダンス音声の音声出力が完了した旨を検出すると（ステップＳ４にて「ＹＥＳ」）、先に記憶させておいた楽曲データの再生停止箇所がフレーズの途中であるかフレーズの末尾であるかを判定する（ステップＳ５，Ｓ６）。
【００２３】
ここで、制御装置２は、先に記憶させておいた楽曲データの再生停止箇所がフレーズの途中である旨を検出すると（ステップＳ５にて「ＹＥＳ」）、楽曲データの再生を停止させたフレーズの先頭から楽曲データの再生を再開させてカラオケ音声の音声出力を再開させる（ステップＳ７）。このとき、制御装置２は、楽曲データに対応する歌詞のモニタ装置８への表示をも再開させる。すなわち、制御装置２は、図３に示すように、楽曲データの再生を停止させてカラオケ音声の音声出力を停止させた時点での再生停止箇所がフレーズ「Ｄ」の途中であれば、フレーズ「Ｄ」の先頭から楽曲データの再生を再開させてカラオケ音声の音声出力を再開させ、フレーズ「Ｄ」の先頭から歌詞のモニタ装置８への表示を再開させることになる。
【００２４】
これに対して、制御装置２は、先に記憶させておいた楽曲データの再生停止箇所がフレーズの末尾である旨を検出すると（ステップＳ６にて「ＹＥＳ」）、楽曲データの再生を停止させたフレーズの次のフレーズの先頭から楽曲データの再生を再開させてカラオケ音声の音声出力を再開させる（ステップＳ８）。このときも、制御装置２は、楽曲データに対応する歌詞のモニタ装置８への表示をも再開させる。すなわち、制御装置２は、図４に示すように、楽曲データの再生を停止させてカラオケ音声の音声出力を停止させた時点での再生停止箇所がフレーズ「Ｄ」の末尾であれば、フレーズ「Ｄ」の次のフレーズ「Ｅ」の先頭から楽曲データの再生を再開させてカラオケ音声の音声出力を再開させ、フレーズ「Ｅ」の先頭から歌詞のモニタ装置８への表示を再開させることになる。
【００２５】
尚、以上は、ナビゲーション装置９からのガイダンス音声の音声出力要求が発生した場合を説明したものであるが、ハンズフリー装置１０からの着信音の音声出力要求が発生した場合も、これと同様である。
【００２６】
以上に説明したように第１の実施形態によれば、車載カラオケ装置１において、ナビゲーション装置９やハンズフリー装置１０からの音声出力要求が発生すると、楽曲データの再生を停止してカラオケ音声の音声出力を停止し、ナビゲーション装置９やハンズフリー装置１０からの音声出力が完了すると、楽曲データの再生を停止した箇所を含むフレーズの先頭または当該フレーズの次のフレーズの先頭から楽曲データの再生を再開してカラオケ音声の音声出力を再開するように構成したので、ナビゲーション装置９やハンズフリー装置１０からの音声出力が完了した直後でもユーザが意識することのできる箇所からカラオケ音声を音声出力することができ、ユーザが戸惑うことなくカラオケを快適に楽しむことができる。しかも、この場合は、ユーザがカラオケ音声を確実に聞くことができるので、音声出力されるカラオケ音声に合わせてユーザが歌いたいフレーズを確実に歌うことができる。
【００２７】
（第２の実施形態）
次に、本発明の第２の実施形態について、図５ないし図７を参照して説明する。尚、上記した第１の実施形態と同一部分については説明を省略し、異なる部分について説明する。この第２の実施形態は、カラオケ音声の音声出力中にナビゲーション装置９やハンズフリー装置１０からの音声出力要求が発生すると、カラオケ音声の音量を低下させ、ナビゲーション装置９やハンズフリー装置１０からの音声出力が完了すると、カラオケ音声の音量を元の音量まで復帰させる点が上記した第１の実施形態と異なる。
【００２８】
すなわち、制御装置２は、カラオケ音声の音声出力中ではナビゲーション装置９からのガイダンス音声やハンズフリー装置１０からの着信音の音声出力要求が発生した否かを監視している（ステップＳ１１）。ここで、制御装置２は、例えばナビゲーション装置９から音声出力要求コマンドが入力され、ナビゲーション装置９からのガイダンス音声の音声出力要求が発生した旨を検出すると（ステップＳ１１にて「ＹＥＳ」）、楽曲データの再生を停止させることなく、楽曲データの再生を継続させてカラオケ音声の音量レベルを所定レベルまで低下させてカラオケ音声の音声出力を継続させる（ステップＳ１２）。このとき、制御装置２は、楽曲データに対応する歌詞のモニタ装置８への表示をも継続させる。尚、制御装置２は、図６に示すように、例えばナビゲーション装置９からのガイダンス音声の音量レベルとカラオケ音声の音量レベルとの和（総音量）がナビゲーション装置９からのガイダンス音声の音声出力要求が発生する直前のカラオケ音声の音量レベルと略同等となるようにカラオケ音声の音量レベルを所定レベルまで低下させる。
【００２９】
そして、制御装置２は、ナビゲーション装置９からのガイダンス音声の音声出力が完了したか否かを監視し（ステップＳ１３）、ナビゲーション装置９からのガイダンス音声の音声出力が完了した旨を検出すると（ステップＳ１３にて「ＹＥＳ」）、楽曲データの再生を継続させてカラオケ音声の音量レベルを元の音量レベル、つまり、ナビゲーション装置９からのガイダンス音声の音声出力要求が発生する直前のカラオケ音声の音量レベルまで復帰させてカラオケ音声の音声出力を継続させる（ステップＳ１４）。このときも、制御装置２は、楽曲データに対応する歌詞のモニタ装置８への表示をも継続させる。
【００３０】
以上に説明したように第２の実施形態によれば、車載カラオケ装置１において、ナビゲーション装置９やハンズフリー装置１０からの音声出力要求が発生すると、楽曲データの再生を継続すると共にカラオケ音声の音量をナビゲーション装置９やハンズフリー装置１０からの音声出力要求が発生する直前の音量レベルから低下させてカラオケ音声の音声出力を継続し、ナビゲーション装置９やハンズフリー装置１０からの音声出力が完了すると、楽曲データの再生を継続すると共にカラオケ音声の音量をナビゲーション装置９やハンズフリー装置１０からの音声出力要求が発生する直前の音量レベルまで復帰させてカラオケ音声の音声出力を継続するように構成したので、上記した第１の実施形態に記載したものと同様にして、ナビゲーション装置９やハンズフリー装置１０からの音声出力が完了した直後でもユーザが意識することのできる箇所からカラオケ音声を音声出力することができ、ユーザが戸惑うことなくカラオケを快適に楽しむことができる。しかも、この場合は、ユーザがナビゲーション装置９から出力されるガイダンス音声やハンズフリー装置１０から出力される着信音を聞きながらカラオケ音声を小音量ではあるが聞くことができる。
【００３１】
尚、以上は、ナビゲーション装置９からのガイダンス音声の音声出力が完了すると、ナビゲーション装置９からのガイダンス音声の音声出力が完了した前後でフレーズの並びが連続するように、つまり、カラオケ音声の音量レベルを低下させて再生した最後のフレーズ「Ｈ」の次のフレーズ「Ｉ」の先頭から楽曲データの再生を継続してカラオケ音声の音声出力を継続する構成を説明したものであるが、図７に示すように、カラオケ音声の音量レベルを低下させる直前に再生したフレーズ「Ｄ」の次のフレーズ「Ｅ」、つまり、カラオケ音声の音量レベルを低下させて再生した最初のフレーズ「Ｅ」の先頭から楽曲データの再生を再開してカラオケ音声の音声出力を再開する構成であっても良い。
【００３２】
（その他の実施形態）
本発明は、上記した実施形態にのみ限定されるものではなく、以下のように変形または拡張することができる。
【００３３】
本発明でいう他の車載機器は、ナビゲーション装置やハンズフリー装置に限らず、例えば徴収金額や警告音などを音声出力するＥＴＣ車載器などの他のものであっても良い。
第１の実施形態において、歌詞のモニタ装置への表示を停止させている期間中にガイダンス音声に関係する画像などをモニタ装置へ表示させる構成であっても良い。
【図面の簡単な説明】
【００３４】
【図１】本発明の第１の実施形態を示す機能ブロック図
【図２】フローチャート
【図３】音声出力及びモニタ表示の遷移を示す図
【図４】図３相当図
【図５】本発明の第２の実施形態を示すフローチャート
【図６】図３相当図
【図７】図３相当図
【符号の説明】
【００３５】
図面中、１は車載カラオケ装置、２は制御装置、８はモニタ装置（表示手段）、９はナビゲーション装置（他の車載機器）、１０はハンズフリー装置（他の車載機器）である。
【図１】
2006178311.tif 000003
【図２】
2006178311.tif 000004
【図３】
2006178311.tif 000005
【図４】
2006178311.tif 000006
【図５】
2006178311.tif 000007
【図６】
2006178311.tif 000008
【図７】
2006178311.tif 000009